(57)【要約】      （修正有）【課題】杖や傘の柄などの棒状体をテーブルの端部などに確実に立てかけることが可能で且つ使用しやすい、クリップ機能を有するぬいぐるみを提供する。【解決手段】胴体部分１１と、前脚部分１２，１３と、胴体部分に対して回動可能な頭部と、後脚部分１５，１６とを備えたぬいぐるみ本体１０と、１対のクリップ片２１をその中間部分で互いに搖動可能となるように組み合わせ、且つ１対のクリップ片間に弾性部材２２を配置し、１対のクリップ片の一端側を弾性部材により閉じ方向に付勢された挟持部２１ａとし、他端側を該弾性部材により開き方向に付勢された操作部２１ｂとした、クリップ機構２０を備える。挟持部を前脚部分内に収容して挟持機能を付与し、操作部を後脚部分内に収容して操作機能を付与する。後脚部分を互いに閉じる方向に押圧して前脚部分間に挟持空間を形成して杖を通し、前脚部分と頭部とにより杖を挟持空間内に保持する。【選択図】図３
0003189588.tif 000002
【実用新案登録請求の範囲】
【請求項１】
胴体部分と、該胴体部分の一端側に配置された左右の前脚、腕などを模してなる１対の第１突出部分と、胴体部分の該第１突出部分間に胴体部分に対して回動可能に配置された頭部と、胴体部分の他端側に配置された左右の後脚、足などを模してなる第２突出部分とを備えたぬいぐるみ本体と、
１対のクリップ片をその中間部分で互いに搖動可能となるように組み合わせ、且つ該１対のクリップ片間に弾性部材を配置し、該１対のクリップ片の一端側を該弾性部材により閉じ方向に付勢された挟持部とし、他端側を該弾性部材により開き方向に付勢された把持部とした、前記ぬいぐるみ本体に収容されるクリップ機構とを備え、
前記挟持部を前記第１突出部分内に収容して前記第１突出部分に挟持機能を付与し、前記把持部を前記第２突出部分内に収容して前記第２突出部分に把持機能を付与し、
前記第２突出部分を前記弾性部材に抗して互いに閉じる方向に押圧して前記第１突出部分を開き、前記第１突出部分間に挟持空間を形成して該挟持空間内に被挟持部材を通し、前記頭部を前記胴体部分に対して回動し、前記第１突出部分と前記頭部とにより被挟持部材を挟持空間内に保持することを特徴とする、ぬいぐるみ。
【請求項２】
請求項１に記載のぬいぐるみ人形において、
前記胴体部分の腹部側に滑り止め部材を装着してなることを特徴とする、ぬいぐるみ。
【考案の詳細な説明】
【技術分野】
【０００１】
本考案は、杖や傘の柄などをテーブルの端部などに立てかけておく際に使用することができる他に、種々の用途に使用可能な、クリップ機能を有するぬいぐるみに関する。
【背景技術】
【０００２】
人形、動物等の縫い包み、及び立体の縫製品等の装飾物内にクリップを収容した保持具が種々提案されている。例えば、動物の形状としたぬいぐるみの手、足、口の少なくとも１か所に、先端の掴み部分を布地で被覆したクリップを設けたぬいぐるみ（特許文献１参照）が知られている。
【０００３】
また、左右の前挟持片、左右の後挟持片、前つまみ部、後つまみ部及び弾性付勢部材からなるクリップを、左右の前足、左右の後足、頭部及び尾部を備えた犬のぬいぐるみに、前挟持片を前足内に、後挟持片を後足内に、前つまみ部を頭部内に、後つまみ部を尾部内にそれぞれ収容したぬいぐるみクリップ（特許文献２参照）も知られている。
【先行技術文献】
【特許文献】
【０００４】
【特許文献１】実用新案登録第３０８８４５２号公報
【特許文献２】特開２００４−３１６８７６号公報
【考案の概要】
【考案が解決しようとする課題】
【０００５】
前者のぬいぐるみや、後者のぬいぐるみクリップは、メモ用紙などを束ねたり、紙袋の開口部を閉じたりするのに使用される。また、これ以外にも例えばカバン、ハンドバックなどの身の回りのものに取り付けてアクセサリーとしても楽しむことが出来る。束ねる等の機能を果たす他に見た目に可愛らしく、ぬいぐるみとしての機能も果たすものである。
【０００６】
しかし、前者のぬいぐるみや後者のぬいぐるみクリップでは、束ねたり、閉じたりする機能を有するものの、杖や傘の柄などの棒状体をテーブルの端部に立てかけておくのに使用することが難しい。例えば、前者のぬいぐるみで杖などの棒状体を保持しようとする場合、先端の掴み部分のみで挟み込むために、不安定であり、棒状体が傾きやすい課題がある。また、後者のぬいぐるみクリップで杖などの棒状体を保持しようとする場合、左右の前挟持片と左右の後挟持片で杖などの棒状体を挟み込むが、このためにはぬいぐるみを横に寝かせた（倒した）状態でテーブルの端部上に載置しなければならず、使用し難く、不自然な感じを与えるなどの課題がある。
【０００７】
本考案は、杖や傘の柄などの棒状体をテーブルの端部などに確実に立てかけておくことが可能で且つ使用しやすい他に、種々の用途に使用可能な、クリップ機能を有するぬいぐるみを提供することを目的とする。
【課題を解決するための手段】
【０００８】
本考案の請求項１に記載のぬいぐるみは、胴体部分と、該胴体部分の一端側に配置された左右の前脚、腕などを模してなる１対の第１突出部分と、胴体部分の該第１突出部分間に胴体部分に対して回動可能に配置された頭部と、胴体部分の他端側に配置された左右の後脚、足などを模してなる第２突出部分とを備えたぬいぐるみ本体と、１対のクリップ片をその中間部分で互いに搖動可能となるように組み合わせ、且つ該１対のクリップ片間に弾性部材を配置し、該１対のクリップ片の一端側を該弾性部材により閉じ方向に付勢された挟持部とし、他端側を該弾性部材により開き方向に付勢された把持部とした、前記ぬいぐるみ本体に収容されるクリップ機構とを備え、前記挟持部を前記第１突出部分内に収容して前記第１突出部分に挟持機能を付与し、前記把持部を前記第２突出部分内に収容して前記第２突出部分に把持機能を付与し、前記第２突出部分を前記弾性部材に抗して互いに閉じる方向に押圧して前記第１突出部分を開き、前記第１突出部分間に挟持空間を形成して該挟持空間内に被挟持部材を通し、前記頭部を前記胴体部分に対して回動し、前記第１突出部分と前記頭部とにより被挟持部材を挟持空間内に保持することを特徴とする。
【０００９】
本考案の請求項２に記載のぬいぐるみは、前記胴体部分の腹部に滑り止め部材を装着してなることを特徴とする。
【考案の効果】
【００１０】
本考案によれば、第１突出部分を開いてそれらの間に挟持空間を形成し、該挟持空間内に被挟持部材を通し、第１突出部分と頭部とにより被挟持部材を挟持空間内に保持するので、被挟持部材が傾くことなく安定した状態で保持することが可能である。また、被挟持部材を挟持空間内に保持するときには、胴体部分は腹這い状態となるので、例えばテーブルの端部上に安定して載置することができ、使用しやすく、不自然な感じを与えることもない。
【図面の簡単な説明】
【００１１】
【図１】本考案のぬいぐるみの一実施例を示す斜視図である。
【図２】図１に示すぬいぐるみに収容されるクリップ機構を示し、図２（ａ）はクリップ機構の一部切欠した平面図、図２（ｂ）はクリップ機構を構成する１対のクリップ片を搖動可能に組み合わせた部分の拡大説明図である。
【図３】図２に示すクリップ機構を図１に示すぬいぐるみに収容したときの状態を説明する平面図である。
【図４】図４（ａ）は図１に示すぬいぐるみの胴体部分と頭部との連結状態を示す一部切欠した斜視図、図４（ｂ）は胴体部分と頭部とを連結する連結部材の一部切欠した拡大側面図である。
【図５】図１に示すぬいぐるみの使用状態を示す斜視図である。
【考案を実施するための形態】
【実施例１】
【００１２】
図１乃至図５は本考案のぬいぐるみの一実施例を示す。
【００１３】
本実施例のぬいぐるみは、腹這い状態の三毛猫を模したぬいぐるみ本体１０と、このぬいぐるみ本体１０内に収容されてクリップ機能（挟持機能）を付与するクリップ機構２０（図２（ａ）、図３参照）とを備える。
【００１４】
ぬいぐるみ本体１０は、図１に示すように、胴体部分１１と、該胴体部分１１の一端側に配置される第１突出部分としての前脚部分１２，１３と、胴体部分１１の該前脚部分１２，１３間に胴体部分１１に対して回動可能に配置された頭部１４と、胴体部分１１の他端側に配置される第２突出部分としての後脚部分１５，１６とを備えてなり、胴体部分１１の腹部側に円盤状の滑り止め部材１７が設けられる。
【００１５】
図１中、符号１８は胴体部分１１の他端側から後脚部分１５，１６間を通って伸びる尾部分である。なお、ぬいぐるみ本体１０としては、三毛猫を模したもの以外に犬などの他の動物やアニメなどの人気キャラクターを模したものなどでもよい。
【００１６】
クリップ機構２０は、図２（ａ）に示すように、波形状の１対のクリップ片２１をその中間部分で互いに搖動可能（図２（ｂ）参照）となるように組み合わせ、且つ該中間部分において１対のクリップ片２１間に略Ｃ字状の弾性部材２２を配置して構成される。１対のクリップ片２１の一端側は弾性部材２２により閉じ方向に付勢され被挟持物を挟み込む挟持部２１ａとなり、また他端側は弾性部材２２により開き方向に付勢された操作部２１ｂとなる。操作部２１ｂを把持して弾性部材２２の弾性力に抗して互いに近づくように閉じる方向に押すと、挟持部２１ａが互いに離れるように開く。把持部２１ｂを離すと、挟持部２１ａが弾性部材２２により閉じる。
【００１７】
１対のクリップ片２１を搖動可能に組み合わせる構造は、図２（ｂ）に示すように、半円状の突部２１ｃと、この突部２１ｃを搖動可能に受け入れる溝部２１ｄを有する受け部２１ｅとを各クリップ片２１の中間部分にそれぞれ設けて構成される。なお、図２（ｂ）に示すものに限定されず、例えば１対のクリップ片２１を交差させ、この交差部分に枢着軸を通して、１対のクリップ片２１を搖動可能に組み合わせるようにしてもよい。
【００１８】
略Ｃ字状の弾性部材２２は、図２（ａ）に示すように、各端部２２ａを１対のクリップ片２１の中間部分に設けた凹部２１ｆ内に挿入して取り付けられている。
【００１９】
クリップ機構２０は図３に示すようにぬいぐるみ本体１０内に収容される。すなわち、１対のクリップ片２１の一端側の挟持部２１ａがぬいぐるみ本体１０の前脚部分１２，１３内に収容され、他端側の把持部２１ｂが後脚部分１５，１６内に収容され、弾性部材２２を含む１対のクリップ片２１の中間部分が胴体部分１１内に収容される。
【００２０】
前脚部分１２，１３には挟持部２１ａを収容することにより杖や傘の柄などの被挟持物を挟み込む挟持機能が付与される。後脚部分１５，１６には操作部２１ｂを収容することにより前脚部分１２，１３を開く操作機能が付与される。後脚部分１５，１６を把持し弾性部材２２の弾性力に抗して互いに接近するように閉じ方向に押すと、前脚部分１２，１３が互いに離れるように開く方向に動き、前脚部分１２，１３間に被挟持物を受け入れる挟持空間４０（図５参照）を形成する。この状態で後脚部分１５，１６を離すと、後脚部分１５，１６は弾性部材２２の弾性力により互いに離れる方向に動いて開き、一方、前脚部分１２，１３は弾性部材２２の弾性力により互いに接近して閉じる。すなわち、操作機能が付与された後脚部分１５，１６を開閉操作することにより前脚部分１２，１３を挟み込み状態・解放状態にすることが出来る。
【００２１】
頭部１４は上述したように胴体部分１１に対して回動可能に装着される。具体的には、図４（ａ）に示すように、頭部１４の胴体部分１１側の内部に回転軸部３０を固定し、胴体部分１１の頭部１４側の内部に回転軸部３０を回転可能且つ軸方向への移動を阻止するように受け入れる軸受部３３を固定して、頭部１４を胴体部分１１に回動可能に装着している。回転軸部３０は、図４（ｂ）に示すように、円盤状の固定部３１とこの固定部３１の底面中心部に設けた回転軸３２を備える。軸受部３３は、同じく図２（ｂ）に示すように、回転軸３２を回転可能且つ軸方向への移動を阻止するように受け入れる軸受３４と、この軸受３４を貫通した回転軸３２の一部を覆うドーム状のカバー３５を備える。
【００２２】
図５を参照して本実施例のぬいぐるみの使用例について説明する。
【００２３】
例えば、図５に示すように、杖５０をテーブル６０の端部に立てかけておく場合には、先ず後脚部分１５，１６を指で把持して弾性部材２２の弾性力に抗して互いに接近するように閉じ方向に操作し、前脚部分１２，１３が互いに離れるように開き、前脚部分１２，１３間に杖５０を挟み込むための挟持空間４０を生じさせる。そして、この状態を維持しつつ、挟持空間４０内に杖５０を立てた状態で滑り込ませるが、この際、頭部１４を胴体部分１１に対して回動し、挟持空間４０上に頭部１４が突出する割合を調整し、杖５０を立てた状態に維持するのに邪魔にならないようにする。この後、後脚部分１５，１６から指を離すと、前脚部分１２，１３が弾性部材２２により閉じ方向に動き（戻り）杖５０を挟み込む。杖５０は、前脚部分１２，１３に挟持され、頭部１４で傾かないように支えられてテーブル６０の端部に立てかけられる。ぬいぐるみ本体１０は、その胴体部分１１がテーブル６０上に腹這いで且つ滑り止め１７がテーブル６０の上面に接した状態でテーブル６０に載置される。
【００２４】
上述したように本実施例のぬいぐるみによれば、前脚部分１２，１３で杖５０を挟み込み、頭部１４で杖５０が傾かないように支えるので、杖５０を安定した状態でテーブル６０の端部などに立てかけておくことが可能となる。また、杖５０を立てかける際にはぬいぐるみ本体１０（胴体部分１１）を腹這い状態にしてテーブル６０上に載置するので、使用しやすい上に、見た目にも自然で、可愛らしく見え、ぬいぐるみを横に寝かせてテーブル６０上に載置する場合のような使用し難いことがなく、不自然な感じを与えず、違和感がない。さらに、滑り止め部材１７によりぬいぐるみ本体１０がテーブル６０上でみだりに動かないようにすることが出来る。
【００２５】
本考案のぬいぐるみは、杖５０や傘などを立てかけておく場合以外にも、例えば手押し車や歩行器のハンドルなどに取り付けることができ、また車両の運転席などの車内、パソコンデスクなどや身の回りのものに取り付けて飾ることができる。
【００２６】
本考案のぬいぐるみは、上記実施例に示したものに限定されるものではない。例えば、動物を模したぬいぐるみ内にクリップを収容する以外に、人形等のぬいぐるみ、及び立体の縫製品などの装飾物内にクリップを収容することが可能である。また、クリップ機構として挟持部とそれを開閉操作する操作部を有するものであれば、種々の形態のクリップが使用可能である。
【産業上の利用可能性】
【００２７】
本考案のぬいぐるみは、杖や傘などを立てかけておく場合以外に身の回りの物に取り付けて装飾物としても使用することが出来る。
【符号の説明】
【００２８】
１０        ぬいぐるみ本体
１１        胴体部分
１２、１３  前脚部分（第１突出部分）
１４        頭部
１５，１６  後脚部分（第２突出部分）
１７        滑り止め部材
２０        クリップ機構
２１        １対のクリップ片
２１ａ      挟持部
２１ｂ      操作部
２２        弾性部材
３０        回転軸部
３３        軸受部
４０        挟持空間
５０        杖（被挟持物）
６０        テーブル
【図１】
0003189588.tif 000003
【図２】
0003189588.tif 000004
【図３】
0003189588.tif 000005
【図４】
0003189588.tif 000006
【図５】
0003189588.tif 000007